(57)【特許請求の範囲】
【請求項１】
折り畳んだ状態で多数枚重ねた買物袋の両側把持部を、支持アームで支持し、かつ買物袋の中央のタブをフックで支持し、店員が最前列の買物袋を引っ張ることにより、この買物袋を開口状態として、レジ後の品物を、次々に上記買物袋に入れていくようにした買物袋引出装置において、
上記買物袋引出装置の設置場所に、この買物袋引出装置の保持部材を設け、
かつ上記買物袋引出装置には、上記保持部材への取付部を設け、
多数枚の買物袋を買物袋引出装置に装着した状態で、上記取付部を上記保持部材に着脱自在としてなり、
上記保持部材は、平面視矩形の横長長孔を有し、
上記取付部は、下向コ字形に折曲げられた金属弾性線材からなり、
上記保持部材の横長長孔に、上記下向コ字形の取付部を挿入することにより、  上記保持部材を着脱可能としてあり、さらに、
上記支持アームは、金属弾性線材を下向きコ字形に折曲げた取付部の両側より前方へ延出しており、
上記フックは、下向きコ字形の取付部の一方の側端部に固着して設けられており、
上記コ字形の取付部の他方の側端部には、上記装着された多数枚の買物袋の中央のタブの下方部分を前側に突出させるための前押し部材が設けられていることを特徴とする買物袋引出装置の保持装置。
【発明の詳細な説明】
【０００１】
【発明の属する技術分野】
この発明は、折り畳んだ状態で、多数枚重ねた買物袋の両把持部を支持アームで支持し、タブをフックで支持して保持し、店員が表面のシートを引っ張ることにより、最前列の１枚の買物袋を開口状態にして、レジ後の品物を、次々に上記買物袋に入れていくようにした買物袋引出装置に関する。
【０００２】
【従来の技術】
上記買物袋引出装置（サッカースタンド）は、近年、スーパーマーケット等のレジカウンターにおいて利用されている。
【０００３】
これによると、店員が直接買物袋に品物を入れるので、店員がレジ後の品物を再び別の店内備付けの買物籠に入れ、これを買物客が買物袋に入れ直すという手間が省ける。
【０００４】
上記買物袋引出装置は、レジカウンターのスキャニング場所の隣りに固着して設けられている。
【０００５】
従来、買物袋引出装置に装着されていた買物袋を使い切ると、買物袋引出装置における支持アームに、多数枚の買物袋の両側把持部の孔を差し込んで、現場で装着していた。
【０００６】
【発明が解決しようとする課題】
従って、新たに、多数枚の買物袋を買物袋引出装置に現場で装着しなければならず、その作業に多くの時間を取られるという問題があった。
【０００７】
また、スキャニング場所の隣りに固着して設けられている買物袋引出装置には、通常、最も多く使用される大きさの買物袋が装着されているので、他の大きさの買物袋が必要なときには、店員は別途、それらの買物袋を、別の場所から取り出さなければならなかった。
【０００８】
なお、買物袋引出装置を、スキャニング場所の隣りに連続して、２つ設けることも可能であるが、この場合には、余り使用されない大きさの袋は、より遠い位置の買物袋引出装置に装着されるので、この大きさの袋を使用するには、その都度、遠くの買物袋引出装置の買物袋に、レジ後の品物を入れなければならなかった。
【０００９】
本発明の目的は、買物袋引出装置に装着されていた買物袋を使い切った後に、新たな買物袋をセットするのに要する時間を大幅に省くことができ、また異なった大きさの袋を使用する場合にも、容易にそれに対応しうるようにした、買物袋引出装置の保持装置を提供することにある。
【００１０】
【課題を解決するための手段】
上記目的を達成するために、本発明は、折り畳んだ状態で多数枚重ねた買物袋の両側把持部を、支持アームで支持し、かつ買物袋の中央のタブをフックで支持し、店員が最前列の買物袋を引っ張ることにより、この買物袋を開口状態として、レジ後の品物を、次々に上記買物袋に入れていくようにした買物袋引出装置において、上記買物袋引出装置の設置場所に、この買物袋引出装置の保持部材を設け、かつ上記買物袋引出装置には、上記保持部材への取付部を設け、多数枚の買物袋を買物袋引出装置に装着した状態で、上記取付部を上記保持部材に着脱自在としてなり、上記保持部材は、平面視矩形の横長長孔を有し、上記取付部は、下向コ字形に折曲げられた金属弾性線材からなり、上記保持部材の横長長孔に、上記下向コ字形の取付部を挿入することにより、上記保持部材を着脱可能としてあり、さらに、上記支持アームは、金属弾性線材を下向きコ字形に折曲げた取付部の両側より前方へ延出しており、上記フックは、下向きコ字形の取付部の一方の側端部に固着して設けられており、上記コ字形の取付部の他方の側端部には、上記装着された多数枚の買物袋の中央のタブの下方部分を前側に突出させるための前押し部材が設けられていることを特徴としている。
【００１１】
【発明の実施の形態】
図１に示すように、買物袋引出装置(14)の保持部材(１)は、鋼板等の板を浅いコ字形に折曲げることにより形成された断面矩形の横長長孔を有し、両端部の取付面にビス孔(２)が設けられている。
【００１２】
コ字形部の前後方向の深さは、後述する買物袋引出装置(14)の線材の径とほぼ等しく、またコの字形部の横幅は、買物袋引出装置(14)の取付部(16)の横幅より若干大きくなっている。
【００１３】
買物袋引出装置(14)の保持部材(１)の中央下部には、前方を向く小突起(３)が形成されている。
【００１４】
買物袋引出装置の設置場所(５)は、図５に示すように、スーパーマーケット，コンビニエンスストア等のレジカウンター(６)の店員によるスキャニング場所(８)の隣りである。この位置の正面には板材(10)が立設され、この板材(10)に、上記保持部材(１)が、ビス孔(２)を介して、ねじにより固着されている。
なお、スキャニング場所(８)を挟んだ買物袋引出装置(14)の設置場所(５)の反対側は、買物客が品物を入れた店内買い物籠を置く載置場所(12)である。
【００１５】
買物袋引出装置(14)は、鋼材，ステンレス材等の金属弾性線材で形成されており、図２に示すように、保持部材(１)への取付部(16)が、金属弾性線材を下向きコ字形に折曲げることにより形成されている。取付部(16)のコ字形の側杆の外側寸法は、保持部材(１)の横幅よりも若干大としてある。
【００１６】
取付部(16)の側杆は、その上端(18)より外側方へ、後述する買物袋(30)の両側把持部(32)の吊支孔(34)に達する長さまで延び、次に、前方へ、所定枚数（例えば１００枚）の買物袋を装着し、かつ最前列の買物袋を広げて保持することが可能な長さまで延出して、支持アーム(20)が形成されている。
【００１７】
支持アーム(20)の前端部は、下方へ所定角度折曲がった下傾部(22)となっている。
【００１８】
取付部(16)の一方の側杆の上端(18)には、後述する買物袋(30)の中央のタブ(36)に開けられた係止孔(38)を支持するフック(24)が、溶接等により固着されている。
【００１９】
フック(24)は、取付部(16)の一方の側杆の上端(18)から中央部まで延出した後、前方へ折曲がり、次に上方へ折曲がってなり、その上端には、支持した買物袋(30)のタブ(36)がフック(24)から抜け出るのを防止するための受止球(26)が取付けられている。
【００２０】
取付部(16)の他方の側杆の上端(18)には、後述する買物袋(30)のタブ(36)の下方部分を前側に突出させるための前押し部材(28)が、溶接等により固着されている。
【００２１】
前押し部材(28)は、取付部(16)の中央部より前方へ、斜下方へ向かって、前押しを十分に行うことが可能な長さだけ延出した後、取付部(16)の他の側杆の方へ、左右対称的に延びている。すなわち前押し部材(28)は、片持ち支持になっている。
【００２２】
買物袋引出装置(14)は、袋の大きさに従って、支持アーム(20)の幅の異なる種々のものが用意されている。
【００２３】
図３に示すように、買物袋(30)の両側の把持部(32)には、支持アーム(20)に吊支するための吊支孔(34)が設けられ、中央のタブ(36)には、フック(24)に支持するための係止孔(38)が設けられている。
【００２４】
買物袋(30)のタブ(36)の下部には、切り込み線(40)が設けられている。
【００２５】
次に、この実施の形態の作用を説明する。
大きさの異なる買物袋(30)が装着された買物袋引出装置(14)を多数用意しておく。
【００２６】
店員が買物袋引出装置(14)の設置場所(５)における買物袋(30)を使い切った時には、保持部材(１)に保持されている空になった買物袋引出装置(14)を取り出す。即ち、両支持アーム(20)の後端部を狭めて、そのまま上方へ引き上げる。
【００２７】
その際、小突起(３)に取付部(16)の下部線材が引っ掛かるので、引き上げる力を若干大きくする。
【００２８】
ついで、用意してあった、別の買物袋(30)が装着された買物袋引出装置(14)を、そのまま、かつ両支持アーム(20)の後端部を若干狭めて、取付部材(16)を保持部材(１)内に挿入する。この際、小突起(３)に取付部材(16)の下部線材が引っ掛かるので、挿入する力を若干大きくする。
【００２９】
これにより、新しい買物袋引出装置(14)が保持部材(１)に保持される。そして店員は、直ちに次のお客のレジ作業、及び品物を買物袋に入れる作業を行うことができる。
【００３０】
店員は、最前列の買物袋(30)を引っ張ると、図４に示すように、この買物袋(30)は、切り込み線(40)で切り取られる。
【００３１】
手で掴んでいる最前列の買物袋(30)をそのまま前方へ動かすと、その把持部(32)が支持アーム(20)で支持された状態で、最前列の１枚の買物袋(30)が開口する。そこで、店員は、この買物袋(30)に品物を入れることができる。
【００３２】
品物を入れ終わった後、最前列の買物袋(30)を前方に引き出すと、後側の買物袋(30)の切り込み線(40)が切れるので、最前列の買物袋(30)の両把持部(32)(32)を支持アーム(20)の下傾部(22)から引出し、客は、自分で詰めることなく、この買物袋(30)を持ち帰ることができる。
【００３３】
時間帯等により、店員が、使用している袋とは違う大きさの袋を使用したい場合には、使用している買物袋引出装置(14)をそのまま、上記と同様にして保持部材(１)から取り出し、使用したい買物袋引出装置(14)を、保持部材(１)に差し込む。これにより、以後店員は、この大きさの買物袋を使用することができる。
【００３４】
【発明の効果】
買物袋引出装置の設置場所には、買物袋引出装置の保持部材が設けられており、買物袋引出装置には、保持部材への取付部が設けられており、かつ、多数枚の買物袋を買物袋引出装置に装着した状態で、取付部を保持部材に着脱自在としたので、ただちに別の買物袋が装着された買物袋引出装置と取り替えることができ、新しい買物袋の装着に要する時間が大幅に短縮される。
【００３５】
保持部材は、断面矩形の横長長孔であり、取付部材は、下向コ字形に折曲げられた線材であり、保持部材の断面矩形の横長長孔に下向コ字形の線材を挿入することにより、着脱を極めて容易に行うことができる。また取付部材を保持部材に挿入した状態では、手前側に引く力には強いので、利用中に買物袋引出装置が保持部材から抜け出ることがない。
【００３６】
支持アームは、下向きコ字形の金属弾性線材の両側より前方へ延出しており、フックが下向きコ字形の線材の一方の端部に固着して設けられており、かつ下向きコ字形の線材の他方の端部には、装着された多数枚の買物袋のタブの下方部分を前側に突出させるための前押し部材が固着して設けられているため、買物袋引出装置と取付部材とを、容易かつ低コストで、一体的に構成することができる。
【図面の簡単な説明】
【図１】  本発明の買物袋引出装置を保持部材に取付けた状態の斜視図である。
【図２】  本発明の買物袋引出装置及びその取付部材の斜視図である。
【図３】  買物袋の正面図である。
【図４】  買物袋引出装置に装置された買物袋を引き出す状態を示す斜視図である。
【図５】  レジカウンターを上から見た図である。
【符号の説明】
(１)保持部材
(２)ビス孔
(３)小突起
(５)設置場所
(６)レジカウンター
(８)スキャニング場所
(10)板材
(12)載置場所
(14)買物袋引出装置
(16)取付部
(18)上端
(20)支持アーム
(22)下傾部
(24)フック
(26)受止球
(28)前押し部材
(30)買物袋
(32)把持部
(34)吊支孔
(36)タブ
(38)係止孔
(40)切り込み線
【図１】
0003640039.tif 000002
【図２】
0003640039.tif 000003
【図３】
0003640039.tif 000004
【図４】
0003640039.tif 000005
【図５】
0003640039.tif 000006